(57)【要約】【課題】店舗内のレイアウトチャートの作成装置において、改善されたグラフィカル表現を簡便かつ安価に実現すること。【解決手段】レイアウトチャート作成装置１１０に、１つ又は複数の、店舗内のレイアウトチャートの原図に関連づけられ、複数のセルに分割されたオリジナルデータをアップロードする。端末装置１２０から、ユーザが選択したオリジナルデータを特定する選択信号を受信すると、レイアウトチャート作成装置１１０は、選択されたオリジナルデータを読み出し、各セルの情報を抽出し、返却データを生成する。返却データは、端末装置１２０で受信されると、変換プログラムにより所定の変換対応表に基づいて変換され、端末装置１２０のウェブブラウザに店舗内のレイアウトチャートが自動的に描画される。【選択図】図５
2015060533.tif 000002
【特許請求の範囲】
【請求項１】
店舗内のレイアウトチャートの作成装置であって、
１つ又は複数の、複数のセルに分割されたオリジナルデータを記憶する記憶部と、
前記作成装置とネットワークを介して接続された端末装置から、選択されたオリジナルデータを特定する選択信号を受信する通信部と、
前記選択信号に従って、前記記憶部から選択されたオリジナルデータを読み出し、各セルの情報を抽出して返却データを生成する生成部と
を備え、
前記オリジナルデータは、前記レイアウトチャートの原図に関連づけられたデータであり、
前記作成装置は、前記端末装置のウェブブラウザからＵＲＬリクエストを受け取ると、前記返却データを変換対応表に従って変換するための変換プログラムを含むＨＴＭＬファイルを、前記端末装置に送信し、
前記ＨＴＭＬファイルは、前記返却データが前記端末装置によって受信されると、前記ウェブブラウザに前記レイアウトチャートを描画させることを特徴とする作成装置。
【請求項２】
前記各セルの情報は、各セルの文字情報を含み、
前記変換対応表は、前記文字情報の少なくとも一部と、前記ウェブブラウザに描画されるオブジェクトとの対応を記述することを特徴とする請求項１に記載の作成装置。
【請求項３】
前記オブジェクトは、曲線を含むことを特徴とする請求項２に記載の作成装置。
【請求項４】
前記各セルの情報は、各セルの結合情報をさらに含むことを特徴とする請求項２又は３に記載の作成装置。
【請求項５】
前記各セルの情報は、各セルのスタイルデータを含むことを特徴とする請求項２から４のいずれかに記載の作成装置。
【請求項６】
前記変換対応表は、セルに入力された任意の値を、四角棚に対応づけることを特徴とする請求項２に記載された作成装置。
【請求項７】
前記変換対応表は、セルに入力された所定の値を、円棚、柱、斜め棚、凹多角形棚、凸多角形棚のいずれかに対応づけることを特徴とする請求項２に記載された作成装置。
【請求項８】
前記所定の値は、括弧に入れられた所定の値であることを特徴とする請求項２に記載の作成装置。
【請求項９】
前記オリジナルデータは、エクセルファイルであることを特徴とする請求項１から８のいずれかに記載の作成装置。
【請求項１０】
前記エクセルファイルは、ＸＭＬスプレッドシート形式であることを特徴とする請求項９に記載の装置。
【請求項１１】
前記レイアウトチャートは、ＳＶＧ形式であることを特徴とする請求項１から１０のいずれかに記載の作成装置。
【請求項１２】
前記生成部は、ＰＨＰによって動作が記述されていることを特徴とする請求項１から１１のいずれかに記載の作成装置。
【請求項１３】
前記変換プログラムは、ＪａｖａＳｃｒｉｐｔにより記述されていることを特徴とする請求項１から１２のいずれかに記載の作成装置。
【請求項１４】
前記返却データは、ｊｓｏｎ形式であることを特徴とする請求項１から１３のいずれかに記載の作成装置。
【請求項１５】
店舗内のレイアウトチャートの作成方法であって、
１つ又は複数の、複数のセルに分割されたオリジナルデータを記憶するステップと、
端末装置から、ネットワークを介して、選択されたオリジナルデータを特定する選択信号を受信するステップと、
前記選択信号に従って、記憶された前記オリジナルデータから選択されたオリジナルデータを読み出し、各セルの情報を抽出して返却データを生成するステップと
を含み、
前記オリジナルデータは、前記レイアウトチャートの原図に関連づけられたデータであり、
前記端末装置のウェブブラウザからＵＲＬリクエストを受け取ると、前記返却データを、変換対応表に従って変換するための変換プログラムを含むＨＴＭＬファイルを前記端末装置に送信するステップをさらに含み、
前記返却データが前記端末装置によって受信されると、前記ウェブブラウザに前記レイアウトチャートが描画されることを特徴とする作成方法。
【請求項１６】
コンピュータに、店舗内のレイアウトチャートの作成方法を実行させるための作成プログラムであって、前記作成方法は、
１つ又は複数の、複数のセルに分割されたオリジナルデータを記憶するステップと、
端末装置から、ネットワークを介して、選択されたオリジナルデータを特定する選択信号を受信するステップと、
前記選択信号に従って、記憶された前記オリジナルデータから選択されたオリジナルデータを読み出し、各セルの情報を抽出して返却データを生成するステップと
を含み、
前記オリジナルデータは、前記レイアウトチャートの原図に関連づけられたデータであり、
前記端末装置のウェブブラウザからＵＲＬリクエストを受け取ると、前記返却データを、変換対応表に従って変換するための変換プログラムを含むＨＴＭＬファイルを前記端末装置に送信するステップをさらに含み、
前記返却データが前記端末装置によって受信されると、前記ウェブブラウザに前記レイアウトチャートが描画されることを特徴とする作成プログラム。
【発明の詳細な説明】
【技術分野】
【０００１】
本発明は、レイアウトチャート（ｌａｙｏｕｔ  ｃｈａｒｔ）の作成装置、作成方法及び作成プログラムに関し、より詳細には、棚割結果をマッピングするための店舗内のレイアウトチャートの作成装置、作成方法及び作成プログラムに関する。
【背景技術】
【０００２】
大量の商品が陳列されている大型の店舗では、消費者は、しばしば目的の商品を探すのに時間を要する。スーパーを例にすると、例えば図１に示すように、食品コーナー、お酒コーナー等、大きな括りで案内表示がなされてはいるが、たとえば胡椒が店舗内のいずれのゴンドラ（陳列棚）等に陳列されているかは、食品コーナーに行ってみて探してみないと分からないし、商品によっては、結局取扱いがなかったということもある。
【０００３】
このような事情は、スーパーに限らず、コンビニ、書店、ドラッグストア等、大量の商品が陳列されている店舗につき同様である。
【０００４】
特許文献１には、大型店、ショッピングモール等の買い物客が、自分が探している商品を見つけ出すことを援助するための技術が開示されている。
【０００５】
図２は、特許文献１の図８を引用したものであり、店内検索機器を用いることができる典型的環境８００が示されている。環境８００は、品目（商品等）検索動作８１０と、店内品目情報８２０と、検索ファシリティ８３０とを含む。品目検索動作８１０は、デバイスからの品目検索問い合わせを受け入れることができ、店内品目情報８２０を用いて、当該品目に係る情報を見つけ出すことができる。
【０００６】
店内品目情報８２０は、品名８４２、品目カテゴリー８４４、価格８４６、店内所在場所８５２等のエントリを含むことができ、店内所在場所８５２として、当該品目が置かれている棚が例示されている。また、店舗内における当該品目の所在場所をグラフィカルに表現することも示唆されている。
【先行技術文献】
【特許文献】
【０００７】
【特許文献１】特表２００８−５２５９１３号公報
【特許文献２】特開２００３−１４１１２６号公報
【発明の概要】
【発明が解決しようとする課題】
【０００８】
しかしながら、特許文献１には、抽象的に店内検索機器が示されているに過ぎず、具体的にそのような機器を製造するために欠かせないデータをどのようにすれば作成できるかにつき、何ら説明がなされていない。
【０００９】
すなわち、実際に、店舗内における商品の配置をグラフィカルに表現するためには、大前提として、店舗内のゴンドラ等の商品陳列に用いる什器がどのようにレイアウトされているかを示すチャートがなければならず、そのようなレイアウトチャートがあって初めて、商品配置のグラフィカル表現が可能となる。
【００１０】
なお、商品をゴンドラ等のどの位置に配置するかを決定することを棚割（ｓｈｅｌｆ  ｍａｎａｇｅｍｅｎｔ）と一般に言うが、ゴンドラ以外にも様々な陳列方法があるため、本明細書では、より広く、商品を店舗内のどの位置に配置するかの決定を「棚割」と呼ぶ。
【００１１】
これまで、特許文献１及び２等に示されるように、抽象的には店内検索機器が開示されていても、高い位置的精度で、かつ、リッチなグラフィカル表現で、棚割結果を消費者に提示することのできる商品検索装置が実用化されていない理由は、まさに、このレイアウトチャートの作成に要する労力及び費用の莫大さにあるのである。特に、スーパー等では、店舗内のレイアウト変更も随時なされるため、簡便かつ安価にレイアウトチャートを作成することができる必要がある。
【００１２】
本発明は、このような問題点に鑑みてなされたものであって、その目的は、店舗内のレイアウトチャートの作成装置、作成方法及び作成プログラムにおいて、改善されたグラフィカル表現を簡便かつ安価に実現することにある。
【課題を解決するための手段】
【００１３】
このような目的を達成するために、本発明の第１の態様は、店舗内のレイアウトチャートの作成装置であって、１つ又は複数の、複数のセルに分割されたオリジナルデータを記憶する記憶部と、前記作成装置とネットワークを介して接続された端末装置から、選択されたオリジナルデータを特定する選択信号を受信する通信部と、前記選択信号に従って、前記記憶部から選択されたオリジナルデータを読み出し、各セルの情報を抽出して返却データを生成する生成部とを備え、前記オリジナルデータは、前記レイアウトチャートの原図に関連づけられたデータであり、前記作成装置は、前記端末装置のウェブブラウザからＵＲＬリクエストを受け取ると、前記返却データを変換対応表に従って変換するための変換プログラムを含むＨＴＭＬファイルを、前記端末装置に送信し、前記ＨＴＭＬファイルは、前記返却データが前記端末装置によって受信されると、前記ウェブブラウザに前記レイアウトチャートを描画させることを特徴とする。
【００１４】
また、本発明の第２の態様は、第１の態様において、前記各セルの情報は、各セルの文字情報を含み、前記変換対応表は、前記文字情報の少なくとも一部と、前記ウェブブラウザに描画されるオブジェクトとの対応を記述することを特徴とする。
【００１５】
また、本発明の第３の態様は、第２の態様において、前記オブジェクトは、曲線を含むことを特徴とする。
【００１６】
また、本発明の第４の態様は、第２又は第３の態様において、前記各セルの情報は、各セルの結合情報をさらに含むことを特徴とする。
【００１７】
また、本発明の第５の態様は、第２から第４のいずれかの態様において、前記各セルの情報は、各セルのスタイルデータを含むことを特徴とする。
【００１８】
また、本発明の第６の態様は、第２の態様において、前記変換対応表は、セルに入力された任意の値を、四角棚に対応づけることを特徴とする。
【００１９】
また、本発明の第７の態様は、第２の態様において、前記変換対応表は、セルに入力された所定の値を、円棚、柱、斜め棚、凹多角形棚、凸多角形棚のいずれかに対応づけることを特徴とする。
【００２０】
また、本発明の第８の態様は、第２の態様において、前記所定の値は、括弧に入れられた所定の値であることを特徴とする。
【００２１】
また、本発明の第９の態様は、第１から第８のいずれかの態様において、前記オリジナルデータは、エクセルファイルであることを特徴とする。
【００２２】
また、本発明の第１０の態様は、第９の態様において、前記エクセルファイルは、ＸＭＬスプレッドシート形式であることを特徴とする。
【００２３】
また、本発明の第１１の態様は、第１から第１０のいずれかの態様において、前記レイアウトチャートは、ＳＶＧ形式であることを特徴とする。
【００２４】
また、本発明の第１２の態様は、第１から第１１のいずれかの態様において、前記生成部は、ＰＨＰによって動作が記述されていることを特徴とする。
【００２５】
また、本発明の第１３の態様は、第１から第１２のいずれかの態様において、前記変換プログラムは、ＪａｖａＳｃｒｉｐｔ（登録商標）により記述されていることを特徴とする。
【００２６】
また、本発明の第１４の態様は、第１から第１３のいずれかの態様において、前記返却データは、ｊｓｏｎ形式であることを特徴とする。
【００２７】
また、本発明の第１５の態様は、店舗内のレイアウトチャートの作成方法であって、１つ又は複数の、複数のセルに分割されたオリジナルデータを記憶するステップと、端末装置から、ネットワークを介して、選択されたオリジナルデータを特定する選択信号を受信するステップと、前記選択信号に従って、記憶された前記オリジナルデータから選択されたオリジナルデータを読み出し、各セルの情報を抽出して返却データを生成するステップとを含み、前記オリジナルデータは、前記レイアウトチャートの原図に関連づけられたデータであり、前記端末装置のウェブブラウザからＵＲＬリクエストを受け取ると、前記返却データを、変換対応表に従って変換するための変換プログラムを含むＨＴＭＬファイルを前記端末装置に送信するステップをさらに含み、前記返却データが前記端末装置によって受信されると、前記ウェブブラウザに前記レイアウトチャートが描画されることを特徴とする。
【００２８】
また、本発明の第１６の態様は、コンピュータに、店舗内のレイアウトチャートの作成方法を実行させるための作成プログラムであって、前記作成方法は、１つ又は複数の、複数のセルに分割されたオリジナルデータを記憶するステップと、端末装置から、ネットワークを介して、選択されたオリジナルデータを特定する選択信号を受信するステップと、前記選択信号に従って、記憶された前記オリジナルデータから選択されたオリジナルデータを読み出し、各セルの情報を抽出して返却データを生成するステップとを含み、前記オリジナルデータは、前記レイアウトチャートの原図に関連づけられたデータであり、前記端末装置のウェブブラウザからＵＲＬリクエストを受け取ると、前記返却データを、変換対応表に従って変換するための変換プログラムを含むＨＴＭＬファイルを前記端末装置に送信するステップをさらに含み、前記返却データが前記端末装置によって受信されると、前記ウェブブラウザに前記レイアウトチャートが描画されることを特徴とする。
【発明の効果】
【００２９】
本発明の一態様によれば、店舗内のレイアウトチャートの原図に関連づけられ、複数のセルに分割されたオリジナルデータから各セルの情報を抽出し、抽出結果を所定の変換対応表に基づいて変換して店舗内のレイアウトチャートを作成してウェブブラウザに描画することによって、改善されたグラフィカル表現を簡便かつ安価に実現することができる。
【図面の簡単な説明】
【００３０】
【図１】スーパーの店舗内のレイアウトの一例を示す図である。
【図２】従来の店内検索機器を示す図である。
【図３】本発明に係るウェブブラウザ表示の一例を示す図である。
【図４】本発明に係るレイアウトチャート作成装置を説明するための図である。
【図５】本発明に係るＪａｖａＳｃｒｉｐｔによる変換ルールを示す図である。
【図６】本発明に係る店舗内のレイアウトチャートの表示例を示す図である。
【発明を実施するための形態】
【００３１】
以下、図面を参照して本発明の実施形態を詳細に説明する。
【００３２】
最初に、本発明に係るレイアウトチャート作成装置の概要を説明する。次いで、リッチなグラフィカル表現を有するレイアウトチャートを描画するにあたり、レイアウトチャート作成装置側、端末装置側でそれぞれ実行される処理について説明する。
（概要）
【００３３】
レイアウトチャート作成装置１１０のユーザは、ＰＣ、ノートパソコン、タブレット等の端末装置１２０から、店舗内のレイアウトチャートが記載されたエクセルファイルをアップロードする。具体的には、たとえば、端末装置１２０からレイアウトチャート作成装置１１０にウェブブラウザによってアクセスし、エクセルファイルをアップロードすることができる。
【００３４】
ここで、エクセルファイルは、保存時に、ＸＭＬスプレッドシート形式で保存する。ＸＭＬスプレッドシート形式で保存すると、拡張子はｘｍｌとなる。本発明の技術的範囲を、ｘｍｌ形式のエクセルファイルに記載されたレイアウトチャートを用いるものに限定するものではないが、以下の説明中の具体例では、ｘｍｌ形式のエクセルファイルを用いた際に適した例とともに説明する。以下では、レイアウトチャート作成装置１１０によって作成されるリッチなグラフィカル表現を有するレイアウトチャートの原図が記載された、複数のセルに分割されたデータを「オリジナルデータ（ｏｒｉｇｉｎａｌ  ｄａｔａ）」と呼び、これには、ｘｍｌ形式のエクセルファイルが含まれる。また、当該エクセルファイルをアップロード後に所要のデータをデータベースに登録したデータ等、レイアウトチャートの原図に関連づけられたデータとしてもよい。
【００３５】
レイアウトチャート作成装置１１０と端末装置は、インターネット、ＬＡＮ、ＷＡＮ等のネットワークを介して接続されている。
【００３６】
たとえば、図３に示すように、レイアウトチャート作成装置１１０にアクセスした際のトップページにはメニューとして「オリジナルデータをアップロード」と「オリジナルデータを選択」を表示することができる。
【００３７】
オリジナルデータのアップロード後、「オリジナルデータを選択」をクリックすると、既にアップロードされているオリジナルデータの一覧が表示される。一覧表示の具体的な形としては、従来知られた任意のものを用いることができ、また、既にアップロードされているオリジナルデータのすべてが一覧表示されている必要もない。
【００３８】
ユーザが特定のオリジナルデータを選択すると、選択されたオリジナルデータがレイアウトチャート作成装置１１０に伝えられ、端末装置１２０のウェブブラウザ上に、店内のレイアウトチャートが、リッチなグラフィカル表現によって描画される。
（端末装置側の処理）
【００３９】
端末装置１２０がレイアウトチャート作成装置１１０にアクセスすると（Ｓ４０１）、ＪａｖａＳｃｒｉｐｔによって記述された変換プログラムを含むＨＴＭＬファイルが端末装置１２０に送信される（Ｓ４０２）。
【００４０】
次いで、端末装置１２０が特定のオリジナルデータを選択すると、その情報がレイアウトチャート作成装置１１０に送信される（Ｓ４０３）。具体的には、選択されたオリジナルデータ名が、レイアウトチャート作成装置１１０に送信され、レイアウトチャート作成装置１１０は、選択されたオリジナルデータを読み出した上で、所要の情報を抽出して返却データを生成する。抽出されたデータは、ＪａｖａＳｃｒｉｐｔで読めるように、ｊｓｏｎ形式にエンコードしておくことができる。
【００４１】
返却データは、端末装置１２０に送信され、端末装置１２０は、端末データを変換プログラムにより処理して、ＳＶＧ（Ｓｃａｌａｂｌｅ  Ｖｅｃｔｏｒ  Ｇｒａｐｈｉｃｓ）形式のレイアウトチャートをウェブブラウザに描画する。
【００４２】
返却データは、オリジナルデータがエクセルファイルの場合、各セルの文字情報及び結合情報を含むセルデータと、罫線、フォント、配置、色に係る情報を含むスタイルデータとを有することができる。セルデータとスタイルデータは、次に説明する変換処理に利用される。
【００４３】
変換プログラムによる変換処理は、たとえば、以下のような変換対応表に従って行うことができる。変換対応表は、変換前のオリジナルデータに記載された内容（四角棚等）が、変換後にどのようなオブジェクトとしてウェブブラウザに描画されるかを示す。図５に、具体例を挙げる。
【００４４】
【表１】
2015060533.tif 000003
【００４５】
表１及び図５の例は、種別、変換ルール共に例示であって、本発明は限定されない。たとえば、円棚に用いた［ｃ］はこれ以外のものでもよく、他の種別についても同様である。
【００４６】
四角棚については、［ｃ］等の記号を用いるのではなく、任意の値を用いた理由は、店舗のレイアウトチャートを念頭に置くと、四角棚が最も多いためである。変換するための定められた記号がなくとも、棚番号等の商品位置を表す何らかの入力が求められるため、何らかの入力があれば四角棚と判定することができる。このような変換ルールを採用すると、最も多い四角棚の判定処理をすべて省略することができ、変換速度、ひいてはレイアウトチャートの描画速度の向上が図られる。
【００４７】
また、変換ルールとは別に、四角棚、円棚、柱以外の様々な種別についても本発明は同様に適用が可能であり、たとえば、斜め棚、凹多角形棚、凸多角形棚等が可能である。
また、色を判定して描画するための記号を用いることもできる。
【００４８】
図６に、本発明に係るレイアウト作成装置１１０によってウェブブラウザ上に描画されたレイアウトチャートの一例を示す。丸棚、種々の大きさの四角棚、柱が描画されている。店舗内のレイアウトは頻繁に変更されるが、本発明によれば、そのような棚の移動、新たな設置等に応じて迅速かつ安価にユーザに提示することができる。たとえば、曲線を含むレイアウトを迅速かつ安価に提供することは容易ではなかった。ＳＶＧ形式で描画を行うと、拡大表示をした際の画質が良好であるという利点もある。
（レイアウトチャート作成装置側の処理）
【００４９】
端末装置１２０にて特定のオリジナルデータが選択され、その情報がレイアウトチャート作成装置１１０に送信されると（Ｓ４０３）、レイアウトチャート作成装置１１０は、オリジナルデータ名を受け取る。
【００５０】
レイアウトチャート作成装置１１０は、たとえばＰＨＰプログラムにより実装された変換処理を開始するが、まず、選択されたオリジナルデータを読み出す。
【００５１】
次に、レイアウトチャート作成装置１１０は、オリジナルデータから、セルデータを抽出する。セルデータは、セルの位置である行及び列、セルに入力された値、セルサイズ、セルのスタイルデータを含み、配列データとすることができる。スタイルデータは、当該セルの罫線、フォント、配置、色に係る情報を含むことができる。
【００５２】
各セルのスタイルは、同様のスタイルが他のセルで用いられる場合も多いため、ＩＤを割り当てることができる。この場合、セルデータは、具体的なスタイルデータの代わりにスタイルＩＤのみを有し、スタイルデータとスタイルＩＤを関連づけた配列データを別途生成してもよい。
【００５３】
レイアウトチャート作成装置１１０は、このようにして生成したセルデータないしセルデータ及びスタイルデータを、返却データとして、端末装置１２０に送信する。この際、セルデータ及びスタイルデータをさらに１つの多次元配列データとしてもよい。
【００５４】
返却データは、ＪａｖａＳｃｒｉｐｔで読めるように、ｊｓｏｎ形式にエンコードしておくことができる。
【００５５】
以上の動作を換言すると、端末装置側では、レイアウトチャート作成装置から提供されたＨＴＭＬファイルに従って、レイアウトチャート作成装置からの返却データを処理し、レイアウトチャート作成装置側では、ウェブサーバが、所定のレイアウトチャート作成プログラムを実行することによって、複数のセルに分割されたオリジナルデータを記憶する記憶部と、ユーザにより選択されたオリジナルデータを特定する選択信号を受信する通信部と、選択信号に従って、記憶部から、選択されたオリジナルデータを読み出し、各セルの情報を抽出して返却データを生成する生成部として動作する。結果として、端末装置のウェブブラウザ等に、原図にリッチなグラフィカル表現を与えたレイアウトチャートが描画される。
（その他）
【００５６】
ウェブブラウザに表示された各棚は、それぞれ個別のオブジェクトであり、クリッカブルである。たとえば、丸棚を赤く表示したい場合、丸棚をクリックして、色を指定できるようにしてもよい。また、棚番号等の表示をしたい場合、同様にクリックして、文字入力フィールドを表示するようにしてもよい。  
【００５７】
さらに、選択した色や入力した文字を、端末装置１２０からレイアウトチャート作成装置１１０に送信し、レイアウトチャート作成装置１１０において、オリジナルデータに変更を反映させるようにしてもよい。
【００５８】
また、描画されたレイアウトチャート自体を保存することもできる。この際、データ形式としては、ＨＴＭＬ、ＰＤＦ等の様々な形式が挙げられる。このように保存したレイアウトチャートをプリントアウトして、あるいは保存せずに直接プリントアウトして、たとえばスーパーの店舗内のフロアガイドとして利用することができる。このような用途としては、たとえば、結婚式場における席次表も挙げられる。
【００５９】
また、上述の説明では、オリジナルデータの例としてエクセルファイルを挙げたが、ＣＡＤデータをエクセルデータに変換して用いることもできる。ＣＡＤデータとして存在する原図は多く、本発明を用いることで、これらのデータに基づき、ウェブブラウザ上でのグラフィカル表現を簡便に提供することも可能となる。
【００６０】
本発明の一実施形態により描画されるレイアウトチャートは、クリッカブルなオブジェクトを含むことができ、その用途は広い。第１に、上記のように文字入力フィールドを表示するようにして、追加情報を関連づけることができる。関連づけた追加情報は、ウェブブラウザ上に表示されるようにしてもよいし、クリックした際に表示等できるようにしてもよい。第２に、ユーザがクリッカブル・レイアウトチャート上で位置の選択をすることができる。具体例としては、ホテルの部屋、レストランの席等をレイアウトチャートとして描画し、各部屋、席等をクリッカブルにすれば、ユーザは好きな部屋、席等の位置を選択して、予約を行うことができる。本発明によれば、このような選択をフラッシュを用いることなく実現することができる。第３に、第２の点と関連するが、ユーザの選択をモニタリングすることができる。たとえば、クリック数から、人気のある部屋、席等のデータを取得可能となる。
【００６１】
本発明は、主に棚割結果をマッピングするための店舗内のレイアウトチャートの文脈で説明をしたが、ウェブブラウザ上での改善されたレイアウトチャート、特にクリッカブル・マップの提供がもたらす効果は甚大であり、本発明の技術的範囲は、上述した具体的な用途を含み、かつこれらの用途に限定されないことに留意されたい。
【符号の説明】
【００６２】
１１０  レイアウトチャート作成装置
１２０  端末装置
【図１】
2015060533.tif 000004
【図２】
2015060533.tif 000005
【図３】
2015060533.tif 000006
【図４】
2015060533.tif 000007
【図５】
2015060533.tif 000008
【図６】
2015060533.tif 000009